【手続補正書】
【提出日】平成25年11月28日(2013.11.28)
【手続補正１】
【補正対象書類名】特許請求の範囲
【補正対象項目名】全文
【補正方法】変更
【補正の内容】
【特許請求の範囲】
【請求項１】
所在地情報管理システム（ＬＩＭＳ）であって、
コントローラコンピュータと、
前記コントローラコンピュータに対して動作可能に連結され、ネットワークイベントの履歴データを記憶するよう構成された履歴データベースと、
前記コントローラコンピュータに対して動作可能に連結され、メタデータを記憶するよう構成されたメタデータデータベースとを備え、
前記ＬＩＭＳは、無線ネットワークと、無線定位ネットワークと、ネットワーク情報、地理的情報、手動入力情報、および地理空間情報を含むオフラインソースとを含む多数のソースからの過去および現在のリアルタイムデータを利用し、多数のユーザおよび実体に亘る無線定位リソースの利用を最適化し、所在地認識インテリジェンスを生成するよう構成されることを特徴とするＬＩＭＳ。
【請求項２】
前記ＬＩＭＳはさらに、多数のソースから取得した過去および現在のリアルタイムのデータを解析し、メタデータの形態でインテリジェンスを生成し、前記メタデータを前記メタデータデータベースに記憶するよう構成されることを特徴とする請求項１に記載のＬＩＭＳ。
【請求項３】
前記ＬＩＭＳはさらに、事前に生成したメタデータを反復使用することにより、リアルデータおよびメタデータの双方を使用する新たな解析に自動的に与えるように構成され、
前記解析では、関心対象の潜在的挙動の識別、前記関心対象挙動に関連付けられた特定の移動体装置ユーザの識別、移動体装置ユーザ同士の関連付け、および移動体装置ユーザの識別を含む情報を生成することを特徴とする請求項２に記載のＬＩＭＳ。
【請求項４】
前記ＬＩＭＳは、優先度、精度、システム容量、位置判定実体（ＰＤＥ）の地理的分布、地形、人為的情報、およびネットワーク情報を含む要素の組み合わせに基づき、所在地リソースの利用を管理することを特徴とする請求項３に記載のＬＩＭＳ。
【請求項５】
前記ＬＩＭＳはさらに、特定の無線定位がいつ必要となるか、前記特定の無線定位がどの程度の精度で必要となるか、および与えられた現在の状況においてそれをどこで取得するのが最適かを判定するよう構成されることを特徴とする請求項４に記載のＬＩＭＳ。
【請求項６】
低精度定位に対して高精度定位をいつ要求するかを自動決定可能な決定サポートシステム（ＤＳＳ）ソフトウェアアプリケーションをさらに備えることを特徴とする請求項５に記載のＬＩＭＳ。
【請求項７】
前記ＤＳＳアプリケーションは、規則、データベース化された所在地、識別情報、およびトランザクション情報を使用することにより、ユーザ、移動体装置、関心対象所在地、およびその他の移動体装置間の関係を含むメタデータを決定する一連の優先的状況データに基づいて、一連のシナリオを判定することを特徴とする請求項６に記載のＬＩＭＳ。
【請求項８】
前記ＬＩＭＳはさらに、動的条件付ロジックとともにアクティビティおよび所在地の多次元ヒストグラムを使用することにより、近接による関連性判定を行い、この情報をトリガイベントとして使用するよう構成されることを特徴とする請求項７に記載のＬＩＭＳ。
【請求項９】
前記ＬＩＭＳはさらに、代替として所在地を使用することにより、ユーザと、ユーザ、グループ、および関心対象所在地間の関係とを識別するよう構成されることを特徴とする請求項８に記載のＬＩＭＳ。
【請求項１０】
前記ＤＤＳアプリケーションによってメタデータ解析が使用されることにより、移動体装置の反復リスクプロファイルを蓄積することを特徴とする請求項９に記載のＬＩＭＳ。
【請求項１１】
高リスク閾値を有する移動体装置には、追加精査が施されることを特徴とする請求項１０に記載のＬＩＭＳ。
【請求項１２】
前記履歴データベースは、トリガによるイベントを含み、
前記イベントは、ＩＭＳＩ、ＩＭＥＩ、ＭＳＩＳＤＮ、およびＴＭＳＩ識別子を含む移動体識別子と、受信番号、発信番号、およびメッセージ種別を含むイベント詳細と、イベント報告から取得の無線ネットワークパラメータより収集した所在地情報とを含むことを特徴とする請求項１１に記載のＬＩＭＳ。
【請求項１３】
前記ＬＩＭＳはさらに、マスデータの動作アルゴリズムへのリアルタイムにおける流れ、ネットワークイベントに係る履歴データ、メタデータ、およびユーザ提供データの組み合わせより、複合トリガを生成するよう構成されることを特徴とする請求項１２に記載のＬＩＭＳ。
【請求項１４】
前記ＬＩＭＳはさらに、移動体装置の発信パターンおよび履歴を解析に使用し、登録および所在地更新を含む非通話関連情報を使用することにより疑わしい挙動およびイベントを認識するよう構成されることを特徴とする請求項１３に記載のＬＩＭＳ。
【請求項１５】
前記履歴データベースは、所在地更新、ハンドオーバー、起動時ＩＭＳＩ取付、および終了時登録抹消を含むメッセージ送信関連イベントと無線通信ネットワークの制御イベントとの双方に係る記録を含むことを特徴とする請求項１４に記載のＬＩＭＳ。
【請求項１６】
トリガ情報およびその他のデータを、イベント、時刻、およびジオフェンス境界に関してデータベース化された情報と組み合わされた一連のｉｆ−ｔｈｅｎ−ｅｌｓｅルールでＤＳＳにより処理することでメタデータを生成し、
前記メタデータにより、前記ＬＩＭＳは、目的および他の移動体ユーザとの関係の識別に対する代替として移動体装置の所在地を使用する解析が可能となることを特徴とする請求項１５に記載のＬＩＭＳ。
【請求項１７】
前記履歴データベースは、
ＴＭＳＩ、ＩＭＳＩ、ＩＭＥＩ、およびＭＳＩＳＤＮの１つ以上を含む、前記特定の移動体装置に関して利用可能なすべての既知の識別子を含んだ各イベント毎の選択情報を含む、一連の移動体装置のカバー領域において発生したネットワークイベントトランザクションに係る情報と、
ハンドオーバ、移動体発信通話、受信ＳＭＳ、ダイアル番号、およびタイムスタンプを含む前記イベント種別を含んだイベント関連情報と、
ネットワーク種別に応じたイベント関連ネットワーク情報と、
算出した所在地を含む特定のイベント毎のメタデータとを含むことを特徴とする請求項１６に記載のＬＩＭＳ。
【請求項１８】
前記メタデータデータベースは、
マップ情報と、セルサイト所在地、アンテナ情報、および過去に作動した特定アルゴリズムの定位結果を含むネットワーク情報とを含むユーザ入力情報と、
前記ＬＩＭＳの処理またはアルゴリズムの結果として生成される情報とを含むことを特徴とする請求項１７に記載のＬＩＭＳ。
【請求項１９】
所在地情報管理システム（ＬＩＭＳ）の動作において使用される方法であって、
ネットワークイベントの履歴データを記憶する履歴データベースを維持するステップと、
メタデータを記憶するメタデータデータベースを維持するステップと、
前記履歴データベースおよび前記メタデータデータベースからの過去および現在のリアルタイムデータを利用して、多数のユーザおよび実体に亘って無線定位リソースの計画および選択を行うステップと、
以下のソースからのデータを利用して無線定位リソースの計画および選択を行うステップとを備え、
以下のソースとは、
無線ネットワークと、
無線定位ネットワークと、
ネットワーク情報、地理的情報、手動入力情報、および地理空間データを含むオフラインソースとであることを特徴とする方法。
【請求項２０】
所在地情報管理システム（ＬＩＭＳ）の動作において使用される方法であって、
ネットワークイベントの履歴データを記憶する履歴データベースを維持するステップと、
メタデータを記憶するメタデータデータベースを維持するステップと、
前記履歴データベースおよび前記メタデータデータベースからの過去および現在のリアルタイムデータを利用して、多数のユーザおよび実体に亘って無線定位リソースの計画および選択を行うステップと、
以下のソースからのデータを利用して無線定位リソースの計画および選択を行うステップとを備え、
以下のソースとは、
無線ネットワークと、
無線定位ネットワークと、
ネットワーク情報、地理的情報、手動入力情報、および地理空間データを含むオフラインソースとであり、
前記履歴データベースは、トリガによるイベントを含み、
前記イベントは、ＩＭＳＩ、ＩＭＥＩ、ＭＳＩＳＤＮ、およびＴＭＳＩ識別子を含む移動体識別子と、受信番号、発信番号、およびメッセージ種別を含むイベント詳細と、イベント報告から取得の無線ネットワークパラメータより収集した所在地情報とを含むことを特徴とする方法。
【請求項２１】
所在地情報管理システム（ＬＩＭＳ）の動作において使用される方法であって、
ネットワークイベントの履歴データを記憶する履歴データベースを維持するステップと、
メタデータを記憶するメタデータデータベースを維持するステップと、
前記履歴データベースおよび前記メタデータデータベースからの過去および現在のリアルタイムデータを利用して、多数のユーザおよび実体に亘って無線定位リソースの計画および選択を行うステップと、
以下のソースからのデータを利用して無線定位リソースの計画および選択を行うステップとを備え、
以下のソースとは、
無線ネットワークと、
無線定位ネットワークと、
ネットワーク情報、地理的情報、手動入力情報、および地理空間データを含むオフラインソースとであり、
前記履歴データベースは、所在地更新、ハンドオーバー、起動時ＩＭＳＩ取付、および終了時登録抹消を含むメッセージ送信関連イベントと無線通信ネットワークの制御イベントとの双方に係る記録を含むことを特徴とする方法。
【請求項２２】
所在地情報管理システム（ＬＩＭＳ）の動作において使用される方法であって、
ネットワークイベントの履歴データを記憶する履歴データベースを維持するステップと、
メタデータを記憶するメタデータデータベースを維持するステップと、
前記履歴データベースおよび前記メタデータデータベースからの過去および現在のリアルタイムデータを利用して、多数のユーザおよび実体に亘って無線定位リソースの計画および選択を行うステップと、
以下のソースからのデータを利用して無線定位リソースの計画および選択を行うステップとを備え、
以下のソースとは、
無線ネットワークと、
無線定位ネットワークと、
ネットワーク情報、地理的情報、手動入力情報、および地理空間データを含むオフラインソースとであり、
前記履歴データベースは、
ＴＭＳＩ、ＩＭＳＩ、ＩＭＥＩ、およびＭＳＩＳＤＮの１つ以上を含む、前記特定の移動体装置に関して利用可能なすべての既知の識別子を含んだ各イベント毎の選択情報を含む、移動体装置セットのカバー領域において発生したネットワークイベントトランザクションに係る情報と、
ハンドオーバ、移動体発信通話、受信ＳＭＳ、ダイアル番号、およびタイムスタンプを含む前記イベント種別を含んだイベント関連情報と、
ネットワーク種別に応じたイベント関連ネットワーク情報と、
算出した所在地を含む特定のイベント毎のメタデータとを含むことを特徴とする方法。
【請求項２３】
所在地情報管理システム（ＬＩＭＳ）の動作において使用される方法であって、
ネットワークイベントの履歴データを記憶する履歴データベースを維持するステップと、
メタデータを記憶するメタデータデータベースを維持するステップと、
前記履歴データベースおよび前記メタデータデータベースからの過去および現在のリアルタイムデータを利用して、多数のユーザおよび実体に亘って無線定位リソースの計画および選択を行うステップと、
以下のソースからのデータを利用して無線定位リソースの計画および選択を行うステップとを備え、
以下のソースとは、
無線ネットワークと、
無線定位ネットワークと、
ネットワーク情報、地理的情報、手動入力情報、および地理空間データを含むオフラインソースとであり、
前記メタデータデータベースは、
マップ情報と、セルサイト所在地、アンテナ情報、および過去に作動した特定アルゴリズムの定位結果を含むネットワーク情報とを含むユーザ入力情報と、
前記ＬＩＭＳの処理またはアルゴリズムの結果として生成される情報とを含むことを特徴とする方法。
【請求項２４】
所在地情報管理システム（ＬＩＭＳ）の動作において使用される方法であって、
ネットワークイベントの履歴データを記憶する履歴データベースを維持するステップと、
メタデータを記憶するメタデータデータベースを維持するステップと、
前記履歴データベースおよび前記メタデータデータベースからの過去および現在のリアルタイムデータを利用して、多数のユーザおよび実体に亘って無線定位リソースの計画および選択を行うステップと、
以下のソースからのデータを利用して無線定位リソースの計画および選択を行うステップとを備え、
以下のソースとは、
無線ネットワークと、
無線定位ネットワークと、
ネットワーク情報、地理的情報、手動入力情報、および地理空間データを含むオフラインソースとであり、
イベント、時刻、およびジオフェンス境界に関してデータベース化された情報と組み合わされた一連のｉｆ−ｔｈｅｎ−ｅｌｓｅルールでトリガ情報およびその他データを処理することにより、目的および他の移動体装置ユーザとの関係の識別に対する代替として移動体の所在地を使用する解析において使用するメタデータを生成するステップをさらに備えることを特徴とする方法。
【請求項２５】
所在地情報管理システム（ＬＩＭＳ）の動作において使用される方法であって、
ネットワークイベントの履歴データを記憶する履歴データベースを維持するステップと、
メタデータを記憶するメタデータデータベースを維持するステップと、
前記履歴データベースおよび前記メタデータデータベースからの過去および現在のリアルタイムデータを利用して、多数のユーザおよび実体に亘って無線定位リソースの計画および選択を行うステップと、
以下のソースからのデータを利用して無線定位リソースの計画および選択を行うステップとを備え、
以下のソースとは、
無線ネットワークと、
無線定位ネットワークと、
ネットワーク情報、地理的情報、手動入力情報、および地理空間データを含むオフラインソースとであり、
メタデータを使用することにより、定位処理のための複合トリガを生成するステップをさらに備えることを特徴とする方法。
【請求項２６】
リアルタイムネットワーク情報との連携において前記履歴データベース内のネットワークイベント情報を使用して、複合トリガを生成するステップをさらに備え、
前記複合トリガは、いつ少なくとも２つの移動体装置が一定期間周回しながらともに存在しているかを示し、引いては、前記少なくとも２つの移動体装置がともに移動していることを意味することを特徴とする請求項２５に記載の方法。
【請求項２７】
前記ネットワークから来る前記リアルタイムデータとの比較において、履歴データに基づき、ＳＩＭスワッピングを自動検知するための複合トリガを生成するステップをさらに備えることを特徴とする請求項２５に記載の方法。